(57)【要約】  選択対象となるコンテンツに対する評価及びその数を一目で迅速に認識させることが可能な表示制御装置を提供する。  アルバムに関連する楽曲に対する評価を示す評価情報を楽曲ごとに取得するインターフェース１と、楽曲の少なくとも一部に対する評価をそれぞれ視覚的に表し且つ当該少なくとも一部に含まれる楽曲の数に対応する数のオブジェクトと、当該楽曲が関連するアルバムを示すアルバム情報と、を、評価情報に基づいて相互に対応させてディスプレイＤに表示する処理部２と、を備える。
2018173740.tif 000002
【特許請求の範囲】
【請求項１】
第１コンテンツに関連する第２コンテンツに対する評価を示す評価情報を、当該第２コンテンツごとに取得する取得手段と、
前記第２コンテンツの少なくとも一部に対して前記評価情報により示される前記評価をそれぞれ視覚的に表し且つ当該少なくとも一部に含まれる前記第２コンテンツの数に対応する数のオブジェクトと、当該第２コンテンツが関連する前記第１コンテンツを示す第１コンテンツ情報と、を、相互に対応させて表示手段に表示する制御手段と、
を備えることを特徴とする表示制御装置。
【請求項２】
請求項１に記載の表示制御装置において、
前記取得手段は、前記第１コンテンツに対する評価を示す第１コンテンツ評価情報を更に取得し、
前記制御手段は、前記取得した第１コンテンツ評価情報に基づいて、前記第１コンテンツに対する前記評価を視覚的に表す第１評価オブジェクトを、前記第１コンテンツ情報に対応する前記表示手段の位置に更に表示することを特徴とする表示制御装置。
【請求項３】
請求項２に記載の表示制御装置において、
前記第１コンテンツに対する前記評価は、当該第１コンテンツに関連する前記第２コンテンツの前記評価に基づいていることを特徴とする表示制御装置。
【請求項４】
請求項１から請求項３のいずれか一項に記載の表示制御装置において、
前記第１コンテンツの選択操作を受け付ける受付手段を更に備え、
前記制御手段は、
ｉ）前記選択操作が受け付けられた場合に、前記表示手段における前記第１コンテンツ情報及び前記オブジェクトの表示を、当該受け付けられた選択操作の対象である前記第１コンテンツに関連する前記第２コンテンツの詳細を示す詳細情報の表示に動的に切り換え、
ii）当該詳細情報と、当該詳細情報が表示されている前記第２コンテンツに対する前記評価を視覚的に表す第２評価オブジェクトと、を相互に対応させて前記表示手段に表示することを特徴とする表示制御装置。
【請求項５】
請求項４に記載の表示制御装置において、
前記制御手段は、前記選択操作により選択された第１コンテンツ以外の前記第１コンテンツであって当該選択された第１コンテンツと共に前記表示手段に表示されていた前記第１コンテンツである非選択第１コンテンツを示す前記第１コンテンツ情報と、当該非選択第１コンテンツに関連する前記第２コンテンツに対応する前記オブジェクトと、を含む前記表示手段上の領域を、当該選択前よりも縮小して表示することを特徴とする表示制御装置。
【請求項６】
請求項１から請求項５のいずれか一項に記載の表示制御装置において、
前記第１コンテンツに関連する前記第２コンテンツの数が前記表示手段における前記オブジェクトの表示可能数を越えている場合に、前記制御手段は、当該越えていることを視覚的に表す副オブジェクトを、当該数が当該表示可能数を越えている前記第２コンテンツに対応する前記オブジェクトに対応する前記表示手段の位置に更に表示することを特徴とする表示制御装置。
【請求項７】
第１コンテンツを示す第１コンテンツ情報を当該第１コンテンツの属性別に表示手段に一覧表示する第１制御手段と、
前記第１コンテンツに関連する第２コンテンツに対する評価を示す評価情報を、当該第２コンテンツごとに取得する取得手段と、
前記取得された評価情報に基づいて、前記表示されている第１コンテンツ情報により示される前記第１コンテンツに関連する前記第２コンテンツに対する前記評価を視覚的に表すオブジェクトを前記第２コンテンツを示す画像に付した評価付画像を、前記第１コンテンツ情報の表示位置に対応する前記表示手段の位置に表示する第２制御手段と、
を備えることを特徴とする表示制御装置。
【請求項８】
請求項７に記載の表示制御装置において、
前記第１コンテンツ情報がアーティストを示す情報であり、
前記第２コンテンツが前記アーティストによるアルバムであり、
前記画像が当該アルバムのジャケット写真の画像であることを特徴とする表示制御装置。
【請求項９】
請求項１から請求項８のいずれか一項に記載の表示制御装置において、
前記オブジェクトが、当該オブジェクトにより視覚的に表される前記評価に対応した色の線分状のオブジェクトであることを特徴とする表示制御装置。
【請求項１０】
請求項１から請求項９のいずれか一項に記載の表示制御装置において、
前記オブジェクトの色が、前記表示手段における当該オブジェクトの表示位置の背景の色に対して、当該オブジェクトが視覚的に表す前記第２コンテンツに対する前記評価が高いほど視認度がより高い色であることを特徴とする表示制御装置。
【請求項１１】
請求項１から請求項１０のいずれか一項に記載の表示制御装置において、
前記第１コンテンツが、当該第１コンテンツに関連する前記第２コンテンツに対して上位のコンテンツであることを特徴とする表示制御装置。
【請求項１２】
取得手段と、制御手段と、を備え、表示手段に接続された表示制御装置において実行される表示制御方法において、
第１コンテンツに関連する第２コンテンツに対する評価を示す評価情報を、当該第２コンテンツごとに前記取得手段により取得する取得工程と、
前記第２コンテンツの少なくとも一部に対して前記評価情報により示される前記評価をそれぞれ視覚的に表し且つ当該少なくとも一部に含まれる前記第２コンテンツの数に対応する数のオブジェクトと、当該第２コンテンツが関連する前記第１コンテンツを示す第１コンテンツ情報と、を、相互に対応させて前記制御手段により前記表示手段に表示する制御工程と、
を含むことを特徴とする表示制御方法。
【請求項１３】
第１制御手段と、取得手段と、第２制御手段と、を備え、表示手段に接続された表示制御装置において実行される表示制御方法において、
第１コンテンツを示す第１コンテンツ情報を当該第１コンテンツの属性別に前記第１制御手段により前記表示手段に一覧表示する第１制御工程と、
前記第１コンテンツに関連する第２コンテンツに対する評価を示す評価情報を、当該第２コンテンツごとに前記取得手段により取得する取得工程と、
前記取得された評価情報に基づいて、前記表示されている第１コンテンツ情報により示される前記第１コンテンツに関連する前記第２コンテンツに対する前記評価を視覚的に表すオブジェクトを前記第２コンテンツを示す画像に付した評価付画像を、前記第１コンテンツ情報の表示位置に対応する前記表示手段の位置に前記第２制御手段により表示する第２制御工程と、
を含むことを特徴とする表示制御方法。
【請求項１４】
表示手段に接続されたコンピュータを、請求項１から請求項１１のいずれか一項に記載の表示制御装置として機能させることを特徴とする表示制御用プログラム。
【発明の詳細な説明】
【技術分野】
【０００１】
本願は、表示制御装置、表示制御方法及び表示制御用プログラムの技術分野に属する。より詳細には、液晶ディスプレイ等からなる表示手段における表示を制御する表示制御装置及び表示制御方法並びに当該表示制御装置用のプログラムの技術分野に属する。
【背景技術】
【０００２】
近年、車載用のナビゲーション装置やいわゆるスマートフォンでは、多くの情報が種々の表示態様で表示されている。また、当該ナビゲーション装置に記録されている楽曲等のコンテンツを選択して視聴する場合でも、その選択のための種々の情報が表示される。ここで、当該コンテンツを選択するに当たっては、選択対象たる各コンテンツに対する評価が予め判っていると、それを参照して好みのコンテンツを選択できるため、便利である。このような従来技術を示す文献の一例としては、例えば下記特許文献１及び下記特許文献２がある。【０００３】
このとき、下記特許文献１に記載されている技術では、選択対象たる複数の観光スポットそれぞれの評価値を、例えば「★」マークの数で表示する構成とされている。また下記特許文献２に記載されている技術でも、選択対象たる複数のレストランや楽曲それぞれの評価値を、例えば「★」マークの数で表示する構成とされている。
【先行技術文献】
【特許文献】
【０００４】
【特許文献１】特開２００８−３３３９９号公報
【特許文献２】特開２０１４−１１９８６１号公報
【発明の概要】
【発明が解決しようとする課題】
【０００５】
しかしながら、上記特許文献１及び上記特許文献２に記載されている技術では、いずれも、選択対象自体の評価値を単に「★」マークの数で表示するのみであるため、その評価値を有する選択対象がどの程度の数だけ存在しているかを、その評価と共に同時に素早く認識させることができないという問題点があった。この点は、ナビゲーション装置やスマートフォンの表示画面を見る時間をなるべく少なくすべきという最近の傾向を鑑みると、より深刻な問題点となる。【０００６】
そこで本願は、上記の問題点に鑑みて為されたもので、その課題の一例は、選択対象となるコンテンツに対する評価及びその数を一目で迅速に認識させることが可能な表示制御装置及び表示制御方法並びに当該表示制御装置用のプログラムを提供することにある。
【課題を解決するための手段】
【０００７】
上記の課題を解決するために、請求項１に記載の発明は、第１コンテンツに関連する第２コンテンツに対する評価を示す評価情報を、当該第２コンテンツごとに取得する取得手段と、前記第２コンテンツの少なくとも一部に対して前記評価情報により示される前記評価をそれぞれ視覚的に表し且つ当該少なくとも一部に含まれる前記第２コンテンツの数に対応する数のオブジェクトと、当該第２コンテンツが関連する前記第１コンテンツを示す第１コンテンツ情報と、を、相互に対応させて表示手段に表示する制御手段と、を備える。【０００８】
上記の課題を解決するために、請求項７に記載の発明は、第１コンテンツを示す第１コンテンツ情報を当該第１コンテンツの属性別に表示手段に一覧表示する第１制御手段と、前記第１コンテンツに関連する第２コンテンツに対する評価を示す評価情報を、当該第２コンテンツごとに取得する取得手段と、前記取得された評価情報に基づいて、前記表示されている第１コンテンツ情報により示される前記第１コンテンツに関連する前記第２コンテンツに対する前記評価を視覚的に表すオブジェクトを前記第２コンテンツを示す画像に付した評価付画像を、前記第１コンテンツ情報の表示位置に対応する前記表示手段の位置に表示する第２制御手段と、を備える。【０００９】
上記の課題を解決するために、請求項１２に記載の発明は、取得手段と、制御手段と、を備え、表示手段に接続された表示制御装置において実行される表示制御方法において、第１コンテンツに関連する第２コンテンツに対する評価を示す評価情報を、当該第２コンテンツごとに前記取得手段により取得する取得工程と、前記第２コンテンツの少なくとも一部に対して前記評価情報により示される前記評価をそれぞれ視覚的に表し且つ当該少なくとも一部に含まれる前記第２コンテンツの数に対応する数のオブジェクトと、当該第２コンテンツが関連する前記第１コンテンツを示す第１コンテンツ情報と、を、相互に対応させて前記制御手段により前記表示手段に表示する制御工程と、を含む。【００１０】
上記の課題を解決するために、請求項１３に記載の発明は、第１制御手段と、取得手段と、第２制御手段と、を備え、表示手段に接続された表示制御装置において実行される表示制御方法において、第１コンテンツを示す第１コンテンツ情報を当該第１コンテンツの属性別に前記第１制御手段により前記表示手段に一覧表示する第１制御工程と、前記第１コンテンツに関連する第２コンテンツに対する評価を示す評価情報を、当該第２コンテンツごとに前記取得手段により取得する取得工程と、前記取得された評価情報に基づいて、前記表示されている第１コンテンツ情報により示される前記第１コンテンツに関連する前記第２コンテンツに対する前記評価を視覚的に表すオブジェクトを前記第２コンテンツを示す画像に付した評価付画像を、前記第１コンテンツ情報の表示位置に対応する前記表示手段の位置に前記第２制御手段により表示する第２制御工程と、を含む。【００１１】
上記の課題を解決するために、請求項１４に記載の発明は、表示手段に接続されたコンピュータを、請求項１から請求項１１のいずれか一項に記載の表示制御装置として機能させる。
【図面の簡単な説明】
【００１２】
【図１】実施形態に係る表示制御装置の概要構成を示すブロック図である。
【図２】実施例に係る情報処理装置の概要構成を示すブロック図である。
【図３】実施例に係る表示処理を示すフローチャートである。
【図４】実施例に係るアーティストリストの表示例を示す図である。
【図５】実施例に係るアーティストの選択時の表示例を示す図（Ｉ）である。
【図６】実施例に係るアーティストの選択時の表示例を示す図（II）である。
【図７】実施例に係るアルバムリストへの表示遷移の例を示す図である。
【図８】実施例に係るアルバムリストの表示例を示す図である。
【図９】実施例に係るアルバムの選択時の表示例を示す図である。
【図１０】実施例に係る楽曲リストへの表示遷移の例を示す図（Ｉ）である。
【図１１】実施例に係る楽曲リストへの表示遷移の例を示す図（II）である。
【図１２】実施例に係る楽曲リストへの表示遷移の例を示す図（III）である。
【図１３】実施例に係る楽曲リストへの表示遷移の例を示す図（IV）である。
【図１４】実施例に係る楽曲リストの表示例を示す図である。
【発明を実施するための形態】
【００１３】
次に、本願を実施するための形態について、図１を用いて説明する。なお図１は、実施形態に係る表示制御装置の概要構成を示すブロック図である。
【００１４】
図１に示すように、実施形態に係る表示制御装置Ｓは、取得手段１と、表示手段Ｄに接続された制御手段２と、を備えて構成されている。
【００１５】
この構成において取得手段１は、第１コンテンツに関連する第２コンテンツに対する評価を示す評価情報を、当該第２コンテンツごとに取得する。
【００１６】
そして制御手段２は、上記第２コンテンツの少なくとも一部に対して前記評価情報により示される前記評価をそれぞれ視覚的に表し且つ当該少なくとも一部に含まれる前記第２コンテンツの数に対応する数のオブジェクトと、当該第２コンテンツが関連する前記第１コンテンツを示す第１コンテンツ情報と、を、相互に対応させて表示手段Ｄに表示する。
【００１７】
以上説明したように、実施形態に係る表示制御装置Ｓの動作によれば、第１コンテンツに関連する第２コンテンツに対する評価を示す評価情報を第２コンテンツごとに取得する。そして、第２コンテンツの少なくとも一部に対して評価情報により示される評価をそれぞれ視覚的に表すオブジェクトであって当該少なくとも一部に含まれる第２コンテンツと同数のオブジェクトと、第２コンテンツが関連する第１コンテンツを示す第１コンテンツ情報と、を、相互に対応させて表示する。よって、第１コンテンツに関連する第２コンテンツに対する評価及びその数を一目で迅速に認識させることができる。
【実施例】
【００１８】
次に、上述した実施形態に対応する具体的な実施例について、図２乃至図１４を用いて説明する。なお以下に説明する実施例は、アーティストによるアルバムに収録されている楽曲の一覧（楽曲リスト）を表示する情報処理装置における表示制御に実施形態を適用した場合の実施例である。【００１９】
また、図２は実施例に係る情報処理装置の概要構成を示すブロック図であり、図３は実施例に係る表示処理を示すフローチャートであり、図４は実施例に係るアーティストリストの表示例を示す図である。更に、図５及び図６は実施例に係るアーティストの選択時の表示例をそれぞれ示す図であり、図７は実施例に係るアルバムリストへの表示遷移の例を示す図であり、図８は当該アルバムリストの表示例を示す図であり、図９は実施例に係るアルバムの選択時の表示例を示す図である。更にまた、図１０乃至図１３は実施例に係る楽曲リストへの表示遷移の例をそれぞれ示す図であり、図１４は実施例に係る楽曲リストの表示例を示す図である。このとき図２では、図１に示した実施形態に係る表示制御装置Ｓにおける各構成部材に対応する実施例の構成部材それぞれについて、当該表示制御装置Ｓにおける各構成部材と同一の部材番号を用いている。【００２０】
図２に示すように、実施例に係る情報処理装置１０は、実施形態に係る取得手段１の一例としてのインターフェース１と、ＣＰＵ、ＲＡＭ（Random Access Memory）、ＲＯＭ（Read Only Memory）等からなり且つ実施形態に係る制御手段２の一例としての処理部２と、本願に係る「受付手段」の一例としての操作部３と、ＨＤＤ（Hard Disc Drive）又はＳＳＤ（Solid State Drive）等からなる記録部４と、液晶ディスプレイ等からなり且つ実施形態に係る表示手段Ｄの一例としてのディスプレイＤと、により構成されている。そして、図２において破線で示すように、インターフェース１及び処理部２により、実施形態に係る表示制御装置Ｓの一例を構成している。また処理部２が、本願に係る「第１制御手段」の一例及び「第２制御手段」の一例に、それぞれ相当する。【００２１】
このときインターフェース１は、例えばインターネット等のネットワークＮＷに接続されている。また操作部３は、ディスプレイＤの表示面に備えられた図示しないタッチパネルを含む。更に記録部４は、情報処理装置１０の図示しないスピーカから出力される上記楽曲のデータや、当該楽曲が含まれているアルバムに関するデータ、及び当該アルバムを製作したアーティストに関するデータ等を不揮発性に記録している。【００２２】
ここで当該楽曲のデータには、当該楽曲のタイトルを示すデータ、当該楽曲の再生時間を示すデータ、当該楽曲のいわゆるジャケット写真のデータ及び当該楽曲本体のデータ等が含まれている。また上記アルバムに関するデータには、当該アルバムのタイトルを示すデータ、当該アルバムを製作したアーティスト名のデータ、当該アルバム全体の再生時間を示すデータ及び当該アルバムとしてのジャケット写真のデータ等が含まれている。更に上記アーティストに関するデータには、当該アーティスト名を示すデータ、当該アーティストのプロフィールを示すデータ及び当該アーティストの写真のデータ等が含まれている。なお、記録部４に記録されているこれらのデータは、適宜ネットワークＮＷを介して取得されたものでもよい。また、上記アーティストが本願に係る「第１コンテンツ」の一例に相当する場合は、上記アルバムが本願に係る「第２コンテンツ」の一例に相当する。更に、当該アルバムが本願に係る「第１コンテンツ」の一例に相当する場合は、上記楽曲が本願に係る「第２コンテンツ」の一例に相当する。【００２３】
以上の構成において、操作部３及びそれに含まれるタッチパネルを用いてアーティストを選択する操作やアルバムを選択する操作等が実行されると、処理部２は、記録部４に記録されている各データを用いて、当該操作等に対応し且つ実施例に係る楽曲選択のための表示処理を、ディスプレイＤ上において実行する。このとき、当該表示処理に必要な後述する評価情報は、例えばネットワークＮＷ及びインターフェース１を介して取得される。そして、当該表示処理により選択された楽曲は、上記図示しないスピーカを介して放音される。【００２４】
次に、処理部２を中心として実行される実施例に係る表示処理について、具体的に図３乃至図１４を用いて説明する。【００２５】
対応するフローチャートを図３に示すように、実施例に係る表示処理は、例えば操作部３において、記録部４に記録されているアーティストのリストを表示する旨の操作が実行されることで開始される。そして、当該操作が行われると、先ず処理部２は、記録部４に記録されている楽曲それぞれに対する評価を示す楽曲評価情報と、同じく記録部４に記録されているアルバムそれぞれに対する評価を示すアルバム評価情報と、を、ネットワークＮＷ及びインターフェース１を介してそれぞれ取得する（ステップＳ１）。このアルバム評価情報が、本願に係る「第１コンテンツ評価情報」の一例に相当する。なお当該各評価情報としては、記録部４に予め記録されている評価情報を用いてもよい。次に処理部２は、表示すべきアーティストのリストのデータを記録部４から取得し、これと、ステップＳ１で取得したアルバム評価情報と、を用いて、図４に例示する態様のアーティストリストＡＴＬを生成してディスプレイＤに表示する（ステップＳ２）。【００２６】
このとき、実施例に係るアーティストリストＡＴＬでは、図４に例示するように、記録部４にデータが記録されているアーティストごとに、アーティスト画像２１と、アーティスト名２２と、を含むアーティスト情報２０がリスト形式で一覧表示される。そして実施例に係る各アーティスト情報２０には、そのアーティストによるアルバムをそれぞれ視覚的に表す棒状のオブジェクトＯ１乃至オブジェクトＯ３が含まれている。なお以下の説明において、オブジェクトＯ１乃至オブジェクトＯ３のいずれかを示す場合、適宜「オブジェクトＯ」と称する。このとき、各オブジェクトＯのそれぞれが、そのアーティストによるアルバム一枚ずつに対応している。また、ステップＳ１で取得したアルバム評価情報に基づき、各オブジェクトＯのそれぞれが、三段階に分けた各アルバムの評価を示す色で表示されている。そして、オブジェクトＯ１は最も高い評価を得ているアルバムを示す色で表示されており、オブジェクトＯ２は二番目に高い評価を得ているアルバムを示す色で表示されており、オブジェクトＯ３は三番目に高い評価を得ているアルバムを示す色で表示されている。ここで、各オブジェクトＯの表示色は、アーティストリストＡＴＬの背景色との関係で、オブジェクトＯ１の表示色が最も視認し易い色（例えば、上記背景色に対する補色）とされており、オブジェクトＯ２の表示色が二番目に視認し易い色とされており、オブジェクトＯ３の表示色が三番目に視認し易い色とされている。上記各オブジェクトＯにより、結果として、そのアーティストによるアルバムの数と、各アルバムに対する評価と、が同時に表示される。より具体的に図４に例示するアーティストリストＡＴＬでは、例えば、アーティスト「aaa」によるアルバムは合計十三枚が記録部４に記録されており、そのうち、評価が最も高いアルバムが四枚記録されており、評価が二番目に高いアルバムが九枚記録されていることが一目で認識できる。また同様に、アーティスト「bbb」によるアルバムは合計六枚が記録部４に記録されており、そのうち、評価が最も高いアルバムが二枚記録されており、評価が二番目に高いアルバムが一枚記録されており、評価が三番目に高いアルバムが三枚記録されていることが一目で認識できる。【００２７】
なお以下の説明では、ディスプレイＤの表面のタッチパネルにタッチしている指の位置を「位置Ｆ」と表示し、当該タッチパネルの正面近傍を（タッチパネルにタッチせずに）移動している指の位置を「位置Ｆ０」と表示する。また、上記アーティスト画像２１及びアーティスト名２２が、本願に係る「第１コンテンツ情報」の一例に相当する。【００２８】
図４に例示するアーティストリストＡＴＬが表示されている（ステップＳ２参照）状態において処理部２は、例えばユーザによるタッチ操作により、いずれかのアーティスト情報２０が選択されたか否かを監視している（ステップＳ３）。ステップＳ３の判定においていずれのアーティストも選択されない場合（ステップＳ３：ＮＯ）、処理部２は引き続きアーティストリストＡＴＬの表示を行う。【００２９】
一方ステップＳ３の判定においていずれかのアーティストが選択された場合（ステップＳ３：ＹＥＳ）、処理部２は次に、選択されなかったアーティストのアーティスト情報２０を全体的に縮小して（よって結果的に、そのオブジェクトＯが左に移動するようにして）表示すると共に（図５及び図６参照）、選択されたアーティストによるアルバムのリストのデータを記録部４から取得し（ステップＳ４）、これと、ステップＳ１で取得した楽曲評価情報と、を用いて、実施例に係るアルバムリストＡＬを生成してディスプレイＤに表示する（ステップＳ５）。【００３０】
このとき、ステップＳ３の選択操作からステップＳ５のアルバムリストＡＬの表示までのディスプレイＤにおける表示の変化について説明すると、先ず図５及び図６に例示するように、位置Ｆへのタッチ操作によりアーティスト「eee」が選択されたとすると（ステップＳ３：ＹＥＳ参照）、選択されなかったアーティストのアーティスト情報２０が全体的に縮小されると共に、選択されたアーティストのアーティスト情報２０に含まれていた各オブジェクトＯがそれぞれに付される態様で、そのアーティストのアルバムのジャケット写真を斜めから見た態様のジャケット画像３１が一時的に表示され、その後図７に例示するように、選択されたアーティストによるアルバムを示すアルバム情報３０が、対応するジャケット画像３１及びオブジェクトＯと共に動的に展開するように表示される。このとき、オブジェクトＯがそれぞれに付されたジャケット画像３１が、本願に係る「評価付画像」の一例に相当する。より具体的には図７に例示するように、選択されたアーティストのアーティスト画像２１を背景として、例えば図７上下（天地）方向の軸を中心として図７中右から左に回転するようにして、ジャケット画像３１及び対応するオブジェクトＯを含むアルバム情報３０が現出するように表示される。そして、最終的に表示されるアルバムリストＡＬでは、図８に例示するように、そのアーティストのアーティスト名２２と共に、記録部４にデータが記録されているアルバムごとに、ジャケット画像３１と、アルバム名３２と、を含むアルバム情報３０がリスト形式で一覧表示される。そして実施例に係る各アルバム情報３０には、そのアルバムに含まれる（収録されている）楽曲をそれぞれ視覚的に表す棒状のオブジェクトＯＯ１乃至オブジェクトＯＯ３が含まれている。なお以下の説明において、オブジェクトＯＯ１乃至オブジェクトＯＯ３のいずれかを示す場合、適宜「オブジェクトＯＯ」と称する。このとき、各オブジェクトＯＯのそれぞれが、そのアルバムに含まれる楽曲一曲ずつに対応している。また、ステップＳ１で取得した楽曲評価情報に基づき、各オブジェクトＯＯのそれぞれが、三段階に分けた各楽曲の評価を示す色で表示されている。そして、オブジェクトＯＯ１は最も高い評価を得ている楽曲を示す色で表示されており、オブジェクトＯＯ２は二番目に高い評価を得ている楽曲を示す色で表示されており、オブジェクトＯＯ３は三番目に高い評価を得ている楽曲を示す色で表示されている。ここで、各オブジェクトＯＯの表示色は、上記オブジェクトＯと同様に、アルバムＡＬの背景色との関係で、オブジェクトＯＯ１の表示色が最も視認し易い色とされており、オブジェクトＯＯ２の表示色が二番目に視認し易い色とされており、オブジェクトＯＯ３の表示色が三番目に視認し易い色とされている。上記各オブジェクトＯＯにより、結果として、そのアルバムに含まれている楽曲の数と、各楽曲に対する評価と、が同時に表示される。より具体的に図８に例示するアルバムリストＡＬでは、例えば、アルバム「アアア」に含まれている楽曲として合計十三曲が記録部４に記録されており、そのうち、評価が最も高い楽曲が六曲記録されており、評価が二番目に高い楽曲が四曲記録されており、評価が三番目に高い楽曲が三曲記録されていることが一目で認識できる。また同様に、アルバム「イイイ」に含まれている楽曲として合計十五曲が記録部４に記録されており、そのうち、評価が最も高い楽曲が八曲記録されており、評価が二番目に高い楽曲が六曲記録されており、評価が三番目に高い楽曲が一曲記録されていることが一目で認識できる。【００３１】
なお、アルバム情報３０を表示可能なディスプレイＤの表示領域との関係で、そのアルバムに含まれている楽曲の数だけのオブジェクトＯＯを表示できない場合、処理部２は、表示できない楽曲が存在している（即ち、当該楽曲の数が表示可能数を越えている）ことを意味する「+」で例示するマークＯＮ（図８及び図９参照）を表示する。このマークＯＮが本願に係る「副オブジェクト」の一例に相当する。また処理部２は、例えば各アルバムのアルバム画像３０の左脇に、当該アルバム自体に対応するオブジェクトＯを、その評価に対応した色で表示する。この、アルバム画像３０の左脇に表示されるオブジェクトＯが、本願に係る「第１評価オブジェクト」の一例にそれぞれ相当する。【００３２】
次に、図８に例示するアルバムリストＡＬが表示されている（ステップＳ５参照）状態において処理部２は、例えばユーザによるタッチ操作により、いずれかのアルバム情報３０が選択されたか否かを監視している（ステップＳ６）。ステップＳ６の判定においていずれのアルバムも選択されない場合（ステップＳ６：ＮＯ）、処理部２は引き続きアルバムリストＡＬの表示を行う。【００３３】
一方ステップＳ６の判定においていずれかのアルバムが選択された場合（ステップＳ６：ＹＥＳ）、処理部２は次に、選択されなかったアルバムのアルバム情報３０を全体的に縮小して（よって結果的に、そのオブジェクトＯＯが左に移動するようにして）表示すると共に（図１０及び図１１参照）、選択されたアルバムに含まれる楽曲のリストのデータを記録部４から取得し（ステップＳ７）、これと、ステップＳ１で取得した楽曲評価情報と、を用いて、実施例に係る楽曲リストＳＬを生成してディスプレイＤに表示する（ステップＳ８）。【００３４】
このとき、ステップＳ６の選択操作からステップＳ８の楽曲リストＳＬの表示までのディスプレイＤにおける表示の変化について説明すると、先ず図８及び図９に例示するように、位置Ｆ０として示す指等の移動によりアルバム「アアア」が選択されたとすると（ステップＳ６：ＹＥＳ参照）、選択されなかったアルバムのアルバム情報３０が全体的に縮小されると共に、選択されたアルバムのアルバム情報３０に含まれていた各オブジェクトＯＯがそれぞれ展開される（拡がる）態様で（図１０及び図１１参照）、当該各オブジェクトＯＯがそれぞれに付される態様で、そのアルバムに含まれる楽曲の楽曲名等を含む楽曲情報４０が、対応する楽曲名及びオブジェクトＯＯと共に動的に展開するように表示される（図１２及び図１３参照）。より具体的には図１２及び図１３に例示するように、選択されたアルバムのアルバム画像３１を背景として、例えば図１２及び図１３上下（天地）方向の軸を中心として図１２及び図１３中右から左に回転するようにして、楽曲名４２及び対応するオブジェクトＯＯを含む楽曲情報４０が現出するように表示される。そして、最終的に表示される楽曲リストＳＬでは、図１４に例示するように、そのアルバムのアルバム名３２と共に、記録部４にデータが記録されている楽曲ごとに楽曲名４２を含む楽曲情報４０がリスト形式で一覧表示される。そして実施例に係る各楽曲情報４０には、その楽曲の評価を例えば★印の数で示す評価データＲが含まれている。この評価データＲは上記ステップＳ１で取得した楽曲評価情報に基づく評価を示している。なお、処理部２は、例えば各楽曲情報４０の左脇に、当該楽曲自体に対応するオブジェクトＯＯを、その評価に対応した色で表示する。この、評価データＲ及び各楽曲情報４０の左脇に表示されるオブジェクトＯＯが、本願に係る「第２評価オブジェクト」の一例に相当する。また、評価データＲの表示態様（★印の数）とオブジェクトＯ又はオブジェクトＯＯの表示態様（棒状）とが異なっていることにより、評価データＲによりその評価が示されている楽曲が、アーティスト→アルバム→楽曲と階層的に選択されるコンテンツの最下層であることを容易に認識できる。【００３５】
次に、図１４に例示する楽曲リストＳＬが表示されている（ステップＳ８参照）状態において処理部２は、例えばユーザによるタッチ操作により、いずれかの楽曲情報４０が選択されたか否かを監視している（ステップＳ９）。ステップＳ９の判定においていずれの楽曲も選択されない場合（ステップＳ９：ＮＯ）、処理部２は引き続き楽曲リストＳＬの表示を行う。【００３６】
一方ステップＳ９の判定においていずれかの楽曲が選択された場合（ステップＳ９：ＹＥＳ）、処理部２は次に、選択された楽曲本体のデータを記録部４から取得し、そのデータを再生して図示しないスピーカから放音させる（ステップＳ１０）。【００３７】
その後処理部２は、例えば情報処理装置１０の電源がオフとされることにより実施例に係る表示処理を終了するか否かを判定し（ステップＳ１１）、終了しない場合（ステップＳ１１：ＮＯ）、処理部２は上記ステップＳ１に戻って上述してきた表示処理を繰り返す。一方ステップＳ１１の判定において、実施例に係る表示処理を終了する場合（ステップＳ１１：ＹＥＳ）、処理部２はそのまま当該表示処理を終了する。【００３８】
以上それぞれ説明したように、実施例に係る表示処理によれば、アーティスト（又はアルバム）に関連するアルバム（又は楽曲）に対する評価を示す評価情報をアルバム（又は楽曲）ごとに取得する（図３ステップＳ１参照）。そして、アルバム（又は楽曲）の少なくとも一部に対する評価をそれぞれ視覚的に表すオブジェクトＯ（又はオブジェクトＯＯ）であって当該少なくとも一部に含まれるアルバム（又は楽曲）と同数のオブジェクトＯ（又はオブジェクトＯＯ）と、アルバム（又は楽曲）が関連するアーティスト（又はアルバム）を示す情報と、を、評価情報に基づいて相互に対応させてディスプレイＤに表示する。よって、アーティスト（又はアルバム）に関連するアルバム（又は楽曲）に対する評価及びその数を一目で迅速に認識させることができる。【００３９】
また、アルバムに対する評価を示すアルバム評価情報に基づいて、その評価を視覚的に表すオブジェクトＯを対応するディスプレイＤの位置に更に表示する（図８参照）。よって、アルバム情報３０と共にその評価をも一目で迅速に認識させることができる。【００４０】
更に、アーティスト（又はアルバム）の選択操作が受け付けられた場合に、アーティスト情報２０（又はアルバム情報３０）及びオブジェクトＯ（又はオブジェクトＯＯ）の表示を、選択操作の対象であるアーティスト（又はアルバム）に関連するアルバム（又は楽曲）の詳細情報の表示に動的に切り換え、その詳細情報と、当該詳細情報が表示されているアルバム（又は楽曲）に対する評価を視覚的に表すオブジェクトＯ（又はオブジェクトＯＯ）と、を相互に対応させて表示するので、アルバム（又は楽曲）の詳細とその評価を一目で迅速に認識させることができる。【００４１】
更にまた、選択されなかったアーティスト（又はアルバム）を示すアーティスト情報２０（又はアルバム情報３０）と、それに関連するアルバム（又は楽曲）に対応するオブジェクトＯ（又はオブジェクトＯＯ）と、を含むディスプレイＤ上の領域を、アーティスト（又はアルバム）の選択前よりも縮小して表示するので、選択されたアーティスト（又はアルバム）をより明確に認識させることができる。【００４２】
また、アーティスト（又はアルバム）に関連するアルバム（又は楽曲）の数がオブジェクトＯ（又はオブジェクトＯＯ）の表示可能数を越えている場合に、当該越えていることを視覚的に表すマークＯＮを、当該数が当該表示可能数を越えているアルバム（又は楽曲）に対応するオブジェクトＯ（又はオブジェクトＯＯ）に対応する位置に更に表示する用に構成すれば、アーティスト（又はアルバム）に関連するアルバム（又は楽曲）の数を一目で迅速に認識させることができる。【００４３】
更に、アーティストを示すアーティスト情報２０を属性別に一覧表示し（図４参照）、関連するアルバム評価情報に基づいて、アーティストに関連するアルバムに対する評価を視覚的に表すオブジェクトＯをアルバム画像３１に付したものを、アーティスト情報２０の表示位置に対応する位置に表示する（図５及び図6参照）。よって、アーティストに関連するアルバムの評価を、アルバム画像３１と共に認識させることができる。【００４４】
更にまた、オブジェクトＯ又はオブジェクトＯＯが、それにより視覚的に表される評価に対応した色の線分状のオブジェクトであるので、広い表示領域を不要としてアルバム又は楽曲の評価を視覚的に認識させることができる。【００４５】
また、オブジェクトＯ又はオブジェクトＯＯの色が、その表示位置の背景色に対して当該評価が高いほど視認度がより高い色であるので、評価の高いアルバム又は楽曲の存在を容易に認識させることができる。【００４６】
更に、アーティスト（又はアルバム）が、関連するアルバム（又は楽曲）に対して上位のコンテンツであるので、上下関係にあるコンテンツ同士において、アーティスト（又はアルバム）の下位にあるアルバム（又は楽曲）の評価及び数を、アーティスト（又はアルバム）との関係と共に容易に認識させることができる。【００４７】
なお、上述した実施例におけるアルバム評価情報及び楽曲評価情報は、それぞれが単独で記録部４に記録されていてもよい。またアルバムに対する評価が、それに関連する楽曲の評価に基づいていてもよい。或いは、アルバムに対する評価が、それに関連する楽曲の評価の蓄積に基づいていてもよいし、当該楽曲の評価の平均値をアルバムの評価としてもよい。更には、アルバム又は楽曲に対する評価の区分（各オブジェクトＯ又は各オブジェクトＯＯのそれぞれに対応する区分）は、例えば情報処理装置１０のユーザの任意で定めた閾値に基づいて区分してもよい。これらの場合、いずれも、アルバム又は楽曲に対する評価を的確に表すことができる。【００４８】
また上述した実施例では、オブジェクトＯ又はオブジェクトＯＯの表示順をその評価の区分ごととしたが、これ以外に、例えばアルバムに含まれる曲の順に対応した表示順であってもよい。【００４９】
更に上述した実施例では、アーティストによるアルバムに収録されている楽曲の選択（即ち三階層からなるコンテンツの選択）のための表示制御に実施形態を適用した場合について説明したが、これ以外に、四以上の階層からなるコンテンツの選択のための表示制御に実施形態を適用することもできる。【００５０】
更にまた、図３に示したフローチャートに相当するプログラムを、光ディスク又はハードディスク等の記録媒体に記録しておき、或いはインターネット等のネットワークを介して取得しておき、これを汎用のマイクロコンピュータ等に読み出して実行することにより、当該マイクロコンピュータ等を実施例に係る処理部２として機能させることも可能である。
【符号の説明】
【００５１】
１    取得手段（インターフェース）
２    制御手段（処理部）
１０    情報処理装置
２０    アーティスト情報
３０    アルバム情報
３１    アルバム画像
４０    楽曲情報
Ｄ    表示手段（ディスプレイ）
Ｓ    表示制御装置
Ｏ１、Ｏ２、Ｏ３、ＯＯ１、ＯＯ２、ＯＯ３    オブジェクト
【図１】
2018173740.tif 000003
【図２】
2018173740.tif 000004
【図３】
2018173740.tif 000005
【図４】
2018173740.tif 000006
【図５】
2018173740.tif 000007
【図６】
2018173740.tif 000008
【図７】
2018173740.tif 000009
【図８】
2018173740.tif 000010
【図９】
2018173740.tif 000011
【図１０】
2018173740.tif 000012
【図１１】
2018173740.tif 000013
【図１２】
2018173740.tif 000014
【図１３】
2018173740.tif 000015
【図１４】
2018173740.tif 000016
【国際調査報告】
2018173740.tif 000017
2018173740.tif 000018
2018173740.tif 000019
2018173740.tif 000020